(57)【要約】【課題】本発明は、ユーザ側からファームウェアのバージョン情報にアクセスする必要がなく、供給者側からの通知も不要で、容易に最新バージョンを入手することができるＤＤＮＳクライアント端末とＤＤＮＳサーバ、ＤＤＮＳバージョン管理システム、及びファームウェアバージョンの更新方法を提供することを目的とする。【解決手段】本発明は、グローバルＩＰアドレス更新時、ＤＤＮＳクライアント端末３からＤＤＮＳサーバ２にＤＤＮＳ更新要求を行うときに、ＤＤＮＳクライアント端末３のファームウェアのバージョン番号と機種情報とを通知し、最新のバージョンのファームウェアがあるときにはＤＤＮＳサーバ２がＤＤＮＳクライアント端末３に対してバージョンアップ通知を行うことを特徴とする。【選択図】　図１
2004126856.tif 000002
【特許請求の範囲】
【請求項１】
グローバルＩＰアドレスが変更されるとＤＤＮＳサーバに通知するＤＤＮＳクライアント部と、
ファームウェアの現在のバージョン番号を管理するバージョン番号管理部とを備え、
前記ＤＤＮＳクライアント部が、ＤＤＮＳサーバにＤＤＮＳ更新要求を行うときに、前記ファームウェアの現在のバージョン番号と機種情報を同時に通知することを特徴とするＤＤＮＳクライアント端末。
【請求項２】
グローバルＩＰアドレスとホスト名をクライアント情報として格納したクライアント情報データベースを備え、アクセスされたホスト名をグローバルＩＰアドレスに変換するＤＤＮＳサーバであって、
前記クライアント情報としてファームウェアのバージョン情報とＤＤＮＳクライアント端末の機種情報が格納され、
前記機種情報ごとに最新バージョンのファームウェアを格納するファームウェア管理テーブルを備えたことを特徴とするＤＤＮＳサーバ。
【請求項３】
広域ネットワークに接続された請求項１記載のＤＤＮＳクライアント端末と、広域ネットワークに接続された請求項２記載のＤＤＮＳサーバとを備え、前記ＤＤＮＳクライアント端末から前記ＤＤＮＳサーバにＤＤＮＳ更新要求を行うときに、前記ＤＤＮＳクライアント端末のファームウェアの現在のバージョン番号と機種情報とを通知することを特徴とするＤＤＮＳバージョン管理システム。
【請求項４】
グローバルＩＰアドレス更新時、前記ＤＤＮＳクライアント端末からＤＤＮＳサーバにＤＤＮＳ更新要求を行うときに、前記ＤＤＮＳクライアント端末のファームウェアのバージョン番号と機種情報とを通知し、最新のバージョンのファームウェアがあるときには前記ＤＤＮＳサーバが前記ＤＤＮＳクライアント端末に対してバージョンアップ通知を行うことを特徴とするファームウェアバージョンの更新方法。
【発明の詳細な説明】
【０００１】
【発明の属する技術分野】
本発明は、バージョン管理ができるＤＤＮＳクライアント端末とＤＤＮＳサーバ、及びこれらからなるＤＤＮＳバージョン管理システム、そしてファームウェアバージョンの更新方法に関するものである。
【０００２】
【従来の技術】
従来、ネットワーク端末のブラウザからホスト名を使って、インターネット等の広域ネットワークのウェブサーバにアクセスするときは、ＤＮＳサーバによってホスト名に対応するグローバルＩＰアドレスを取得してＩＰパケットを送信する。しかし、グローバルＩＰアドレスは世界的に枯渇しており、ＤＨＣＰ（Ｄｙｎａｍｉｃ　Ｈｏｓｔ　Ｃｏｎｆｉｇｕｒａｔｉｏｎ　Ｐｒｏｔｏｃｏｌ）サーバによって限られたグローバルＩＰアドレスを時間制限付で割り当てることが広く行われている。
【０００３】
しかし、ＤＮＳサーバは動的に変化するグローバルＩＰアドレスに対応できない。そこで、ＤＤＮＳ（Ｄｙｎａｍｉｃ　Ｄｏｍａｉｎ　Ｎａｍｅ　Ｓｙｓｔｅｍ）サーバが用いられる。ＤＨＣＰクライアントであるネットワーク端末がグローバルＩＰアドレスを更新したときには、ＤＤＮＳサーバに更新要求を行って、ドメイン名を使ってのウェブサーバへのアクセスを可能にしている。
【０００４】
ところで、ＡＤＳＬやＣＡＴＶインターネット等のブロードバンドの普及に伴い、常時接続を行うブロードバンドルータが普及している。このブロードバンドルータには複数のネットワーク端末が接続される。例えば、監視カメラ等のネットワークカメラが接続される。これらのネットワーク端末やブロードバンドルータは、動的に変化するグローバルＩＰアドレスに対応する必要があり、ＤＤＮＳクライアント端末として自身のグローバルＩＰアドレスをＤＤＮＳサーバへ通知している。
【０００５】
ＤＤＮＳクライアント端末からＩＰアドレスの通知を受け取ったＤＤＮＳサーバは、自身のデータベース内にあるクライアント端末のグローバルＩＰアドレスと通知されたグローバルＩＰアドレスを比較し、変化があったときはデータベースの更新と判断し、変更する。なお、ＤＤＮＳサーバのデータベースにはＤＤＮＳクライアント端末の利用者のメールアドレスや住所、電話番号などの個人情報も格納されている。
【０００６】
ところで、最近ネットワークカメラやブロードバンドルータ等のネットワーク端末のファームウェアは、製造メーカやソフトフェア会社、ベンダのサイトから最新のバージョンをダウンロードすることができるようになってきている。例えば、（特許文献１）は遠隔地からソフトウェアベンダが顧客を把握し、新規バージョンを用いて顧客のソフトウェアをアップデートし、また、ソフトウェアのバグを修正することのできる技術を提供している。
【０００７】
この（特許文献１）は、顧客プラットホーム上のソフトウェアの実行に応じて顧客プラットホームとベンダプラットホームとの間にインターネット接続を確立し、顧客ソフトウェアに関連する第１バージョンのデータがベンダプラットホームからの第２バージョンのデータと異なる場合、第１のソフトウェアの第１の部分をベンダプラットホームからの第１アップデートコードで上書きするものである。このようにしてネットワーク端末のユーザは、最新のバージョンをダウンロードし、端末のファームウェアを最新のバージョンに保つことができる。
【０００８】
【特許文献１】
特開平１０−２２２３７４号公報
【０００９】
【発明が解決しようとする課題】
しかし、最新のファームウェアが上述のサイトにアップデートされたとしても、ユーザがこのサイトにアクセスして最新のファームウェアが存在するのをチェックするか、または製造メーカやソフトフェア会社がアップデートの際にメールや葉書を使って通知しなければユーザには分からない。そして前者の場合、もしユーザがこれらのサイトにアクセスしない限り、最新のファームウェアがアップデートされたことを知ることはできないし、後者の場合、既にアップデートしたユーザに対しても通知が行われてしまうという問題があった。
【００１０】
そこで本発明は、ユーザ側からファームウェアのバージョン情報にアクセスする必要がなく、供給者側から直接通知する必要もなく、容易に最新バージョンを入手することができるＤＤＮＳクライアント端末を提供することを目的とする。
【００１１】
また本発明は、ユーザ側からファームウェアのバージョン情報にアクセスする必要がなく、供給者側から直接通知する必要もなく、容易に最新バージョンを通知することができるＤＤＮＳサーバを提供することを目的とする。
【００１２】
本発明は、ユーザ側からファームウェアのバージョン情報にアクセスする必要がなく、供給者側から直接通知する必要もなく、容易に最新バージョンを通知することができるＤＤＮＳバージョン管理システムを提供することを目的とする。
【００１３】
さらに本発明は、ユーザ側からファームウェアのバージョン情報にアクセスする必要がなく、供給者側から直接通知する必要もなく、容易に最新バージョンを通知することができるファームウェアバージョンの更新方法を提供することを目的とする。
【００１４】
【課題を解決するための手段】
上記課題を解決するために本発明のＤＤＮＳクライアント端末は、ＤＤＮＳクライアント部が、ＤＤＮＳサーバにＤＤＮＳ更新要求を行うときに、ファームウェアの現在のバージョン番号と機種情報を同時に通知することを特徴とする。
【００１５】
これにより、ユーザ側からファームウェアのバージョン情報にアクセスする必要がなく、供給者側から直接通知する必要もなく、容易に最新バージョンを入手することができる。
【００１６】
本発明のＤＤＮＳサーバは、クライアント情報としてファームウェアのバージョン情報とＤＤＮＳクライアント端末の機種情報が格納され、機種ごとに最新のバージョンのファームウェアが格納されたファームウェア管理テーブルを備えたことを特徴とする。
【００１７】
これにより、ユーザ側からファームウェアのバージョン情報にアクセスする必要がなく、供給者側から直接通知する必要もなく、容易に最新バージョンを通知することができる。
【００１８】
本発明のＤＤＮＳバージョン管理システムは、ＤＤＮＳクライアント端末からＤＤＮＳサーバにＤＤＮＳ更新要求を行うときに、ＤＤＮＳクライアント端末のファームウェアの現在のバージョン番号と機種情報とを通知することを特徴とする。
【００１９】
これにより、ユーザ側からファームウェアのバージョン情報にアクセスする必要がなく、供給者側から直接通知する必要もなく、容易に最新バージョンを通知することができる。
【００２０】
本発明のファームウェアバージョンの更新方法は、グローバルＩＰアドレス更新時、ＤＤＮＳクライアント端末からＤＤＮＳサーバにＤＤＮＳ更新要求を行うときに、ＤＤＮＳクライアント端末のファームウェアのバージョン番号と機種情報とを通知し、最新のバージョンのファームウェアがあるときにはＤＤＮＳサーバがＤＤＮＳクライアント端末に対してバージョンアップ通知を行うことを特徴とする。
【００２１】
これにより、ユーザ側からファームウェアのバージョン情報にアクセスする必要がなく、供給者側から直接通知する必要もなく、容易に最新バージョンを通知することができる。
【００２２】
【発明の実施の形態】
本発明の請求項１記載の発明は、グローバルＩＰアドレスが変更されるとＤＤＮＳサーバに通知するＤＤＮＳクライアント部と、ファームウェアの現在のバージョン番号を管理するバージョン番号管理部とを備え、ＤＤＮＳクライアント部が、ＤＤＮＳサーバにＤＤＮＳ更新要求を行うときに、ファームウェアの現在のバージョン番号と機種情報を同時に通知することを特徴とするＤＤＮＳクライアント端末であり、ＤＤＮＳ更新要求を行うときにバージョン番号と機種情報を同時に通知するため、ユーザ側からバージョン情報にアクセスする必要がなく、容易に最新バージョンを送信することができる。
【００２３】
本発明の請求項２記載の発明は、グローバルＩＰアドレスとホスト名をクライアント情報として格納したクライアント情報データベースを備え、アクセスされたホスト名をグローバルＩＰアドレスに変換するＤＤＮＳサーバであって、クライアント情報としてファームウェアのバージョン情報とＤＤＮＳクライアント端末の機種情報が格納され、機種情報ごとに最新バージョンのファームウェアを格納するファームウェア管理テーブルを備えたことを特徴とするＤＤＮＳサーバであって、クライアント情報としてファームウェアのバージョン情報とＤＤＮＳクライアント端末の機種情報が格納され、機種ごとに最新のバージョンのファームウェアが格納されたファームウェア管理テーブルを備えたことを特徴とするＤＤＮＳサーバであり、クライアント情報データベースにバージョン情報と機種情報が加えられ、且つ最新バージョンのデータを格納したファームウェア管理テーブルが設けられているため、容易に最新バージョンを通知することができる。
【００２４】
本発明の請求項３記載の発明は、広域ネットワークに接続された請求項１記載のＤＤＮＳクライアント端末と、広域ネットワークに接続された請求項２記載のＤＤＮＳサーバとを備え、ＤＤＮＳクライアント端末からＤＤＮＳサーバにＤＤＮＳ更新要求を行うときに、ＤＤＮＳクライアント端末のファームウェアの現在のバージョン番号と機種情報とを通知することを特徴とするＤＤＮＳバージョン管理システムであり、ＤＤＮＳ更新要求でバージョン番号と機種情報とを通知するため、ユーザ側からファームウェアのバージョン情報にアクセスする必要がなく、供給者側からの通知も不要で、容易に最新バージョンを通知することができる。
【００２５】
本発明の請求項４記載の発明は、グローバルＩＰアドレス更新時、ＤＤＮＳクライアント端末からＤＤＮＳサーバにＤＤＮＳ更新要求を行うときに、ＤＤＮＳクライアント端末のファームウェアのバージョン番号と機種情報とを通知し、最新のバージョンのファームウェアがあるときにはＤＤＮＳサーバがＤＤＮＳクライアント端末に対してバージョンアップ通知を行うことを特徴とするファームウェアバージョンの更新方法であり、ＤＤＮＳ更新要求でバージョン番号と機種情報とを通知するため、ユーザ側からファームウェアのバージョン情報にアクセスする必要がなく、供給者側からの通知も不要で、容易に最新バージョンを通知することができる。
【００２６】
（実施の形態１）
本発明の実施の形態１におけるＤＤＮＳバージョン管理システムとファームウェアバージョンの更新方法について説明する。図１は本発明の実施の形態１におけるＤＤＮＳバージョン管理システムの構成図、図２は本発明の実施の形態１におけるＤＤＮＳクライアント端末の構成図、図３は本発明の実施の形態１におけるＤＤＮＳサーバ構成図である。
【００２７】
図１において、１はインターネット（本発明の広域ネットワーク）、２はＤＤＮＳサーバ、３はブロードバンドルータやこれとその配下のネットワークカメラ等のＤＤＮＳクライアント端末、４はインターネット１からメールを受信できるネットワーク端末、５はクライアントからの要求でグローバルＩＰアドレスを時間制限付で割り当てるＤＨＣＰサーバ、９はＳＴＭＰプロトコルを有し、ＤＤＮＳサーバ２からの要求に従いＤＤＮＳクライアント端末３宛ての電子メールを取り扱い可能なＳＭＴＰサーバ、１０はＤＤＮＳクライアント端末３のファームウェアをＦＴＰプロトコルによりダウンロード可能に蓄積したＦＴＰサーバである。
【００２８】
次にＤＤＮＳクライアント端末３について説明する。図２において、３ａはＤＤＮＳクライアント端末３のＤＤＮＳサーバ２との通信制御と管理を行うＤＤＮＳクライアント部、６ａは、電子メールの通信管理を行うメール管理部（図示しない）におかれ、ユーザから入力されたメールアドレスを管理するメールアドレス管理部である。６ｂは、インターネット１で通信する等のためにＤＨＣＰサーバ５から割り当てられた自分のＩＰアドレスを管理するＩＰアドレス管理部、６ｃはＤＤＮＳクライアント端末３自身のファームウェアのバージョン番号管理部である。なお、ファームウェアは基本動作を制御するプログラムであり、クライアント端末３のファームウェアは、製造メーカやソフトウェア会社などのベンダにより（機能拡張やバグの修正等のために）変更されるたびごとにバージョン番号が変更される。バージョン番号管理部は、最初、製造時のファームウェアのバージョンを管理しており、クライアント端末３のファームウェアが切り替えられたときに、最初製造時のバージョン番号に替えて、切り替えられたファームウェアのバージョン番号を管理する。
【００２９】
また、ＤＤＮＳクライアント部３ａは、ＤＤＮＳサーバ２の（後述するクライアント情報データベースにおける）自端末のクライアト情報を常に新しい情報に保つために、定期的にＤＤＮＳ更新要求をＤＤＮＳサーバ２へ送信する。ＤＤＮＳ更新要求は、ＤＤＮＳクライアント部３ａが、メールアドレス管理部６ａ，ＩＰアドレス管理部６ｂ，バージョン番号管理部６ｃからそれぞれの情報を入手して、後述するＤＤＮＳ更新要求のＨｔｔｐパケット（図６参照）を生成後、これを送信することによって行われる。なお、上述のようにクライアント端末３のファームウェアが切り替えられたときには、バージョン番号管理部６ｃで管理しているバージョン番号も変更され、ＤＤＮＳサーバ２へ通知される。
【００３０】
なお、一つのＤＤＮＳクライアント端末３のファームウェアが、ＤＤＮＳクライアント機能用のファームウェア、カメラ制御用ファームウェア、ルータ制御用ファームウェア等のように複数ある場合、バージョン番号管理部６ｃは各々のファームウェア毎にバージョン情報を管理しており、ＤＤＮＳ更新要求も複数のファームウェア情報およびバージョン情報を送信するように動作する。
【００３１】
ところでファームウェアは図示しないＲＯＭまたは不揮発メモリに記憶されている。なお、ＤＤＮＳクライアント部３ａ，メールアドレス管理部６ａ，ＩＰアドレス管理部６ｂ，バージョン番号管理部６ｃ等の管理部は、ファームウェアその他の制御プログラムが中央処理装置にロードされて、機能実現手段として構成される。
【００３２】
続いて、ＤＤＮＳサーバ２について説明する。図３において、７はＤＤＮＳサーバ２に設けられ、各ＤＤＮＳクライアント端末３に対してそれぞれのクライアント情報を格納したクライアント情報データベースである。７ａはＤＨＣＰサーバ５によって割り当てられ各クライアント情報の中に格納された現在のグローバルＩＰアドレス、７ｂはこの同じクライアント情報に設けられたメールアドレス、７ｃは同じくそのファームウェアのバージョン番号情報、７ｄはＤＤＮＳクライアント端末３の機種情報である。機種情報７ｄは、例えばブロードバンドルータなのかネットワークカメラなのかを示す情報である。また、一つのＤＤＮＳクライアント端末３に複数のファームウェアがある場合、バージョン番号情報７ｃおよび機種情報７ｄにはそれぞれ複数のバージョン番号と複数のファームウェア情報（機種情報）が格納される。クライアント情報にはその他ユーザの個人情報も蓄積される。８は機種ごとの最新のファームウェアを管理するファームウェア管理テーブル、８ａはＤＤＮＳクライアント端末３に格納されているカメラ制御用ファームウェアの最新のバージョン番号、８ｂは同じくＤＤＮＳクライアント端末３に格納されているブロードバンドルータ制御用ファームウェアの最新のバージョン番号である。
【００３３】
ファームウェア管理テーブル８は、ベンダがファームウェアのバージョンを更新し、かつＦＴＰサーバ１０に（ＤＤＮＳクライアント端末３からダウンロード可能に）変更後の最新のファームウェアをアップロードした時点で、ＦＴＰサーバ１０からＤＤＮＳサーバ２へ変更されるファームウェア及びそのバージョン番号が通知され、ＤＤＮＳサーバ２は、ファームウェア管理テーブル８を通知されたバージョン番号に変更する。なお、ファームウェア管理テーブル８の更新は、ＦＴＰサーバ１０から通知されるのではなく、ベンダが直接、変更されるファームウェア及びそのバージョン番号をＤＤＮＳサーバ２に送信して行うことも可能である。
【００３４】
そこで本発明の実施の形態１のＤＤＮＳバージョン管理システムの処理のシーケンスについて説明する。図４は本発明の実施の形態１におけるＤＤＮＳバージョン管理システムの処理のシーケンス図、図５は本発明の実施の形態１におけるＤＤＮＳサーバの処理のフローチャートである。
【００３５】
まず図４に示すように、ＤＤＮＳクライアント端末３は定期的に自分のグローバルＩＰアドレス等をＤＤＮＳサーバ２に通知する。すなわち、定期的にＤＤＮＳ更新要求を行う。図６はＤＤＮＳ更新要求のＨＴＴＰパケットの構成図である。このＤＤＮＳ更新要求の構成を図６に基づいて説明すると、９ａはＨＴＴＰパケットのＨＴＴＰヘッダ、９ｂはＤＨＣＰサーバ５に割り当てられたグローバルＩＰアドレス、９ｃはメールアドレス、９ｄはファームウェアのバージョン番号情報、９ｅは機種情報、９ｆはクライアントを識別するためのクライアントＩＤである。
【００３６】
ＤＤＮＳクライアント端末３から通知を受け取ったＤＤＮＳサーバ２は、図５に示すサーバ処理を行って、ＨＴＴＰパケットからバージョン番号情報、機種情報を取得する。図５に示すように、ＤＤＮＳサーバ２はＤＤＮＳ更新要求を受信すると（ｓｔｅｐ１）、Ｈｔｔｐパケットからバージョン番号情報を取得し（ｓｔｅｐ２）、機種情報を取得する（ｓｔｅｐ３）。次いで、ＤＤＮＳサーバ２は機種情報から最新のバージョン番号をファームウェア管理テーブル８から入手する（ｓｔｅｐ４）。そして、取得したファームウェアのバージョン番号を、管理テーブルに登録されているバージョン番号と比較したとき、最新であるか否かを判定する（ｓｔｅｐ５）。登録されているバージョン番号の方が新しければ、ＤＤＮＳサーバ２は登録されたメールアドレスに対して最新のファームウェアがアップロードされたことをメールするバージョンアップ更新通知処理を行い（ｓｔｅｐ６）、終了する。また、取得したファームウェアのバージョン番号の方が新しければ、既に最新のファームウェアがダウンロードされているため処理は終了する。なお、バージョンアップ更新通知処理は、クライアント情報に登録されたメールアドレスに対し、最新のファームウェアがアップロードされている旨の情報を電子メール形式でＳＭＴＰサーバ９を介してＤＤＮＳクライアント端末３へ送信する。この電子メールには、更に最新バージョンの日付情報、旧バージョンとの変更点情報、最新のファームウェアがアップロードされているＦＴＰサーバ１０の情報を追加することも可能であり、この場合これらの情報はファームウェア管理テーブル８に各々関連付けて予め登録するようにする。
【００３７】
その後ＤＤＮＳサーバ２は図４に示すバージョンアップ通知メールを送信してＤＤＮＳバージョン管理システムの処理を終了する。
【００３８】
このように本実施の形態１のＤＤＮＳバージョン管理システムは、ＤＤＮＳサーバ２とＤＤＮＳクライアント端末３との間で行われるＤＤＮＳ更新要求を利用して、ＤＤＮＳクライアント端末のファームウェアのバージョン番号情報と機種情報を通知するため、ＤＤＮＳシステムを利用することでファームウェアのバージョン管理を容易に行うことができる。従って、ファームウェアのベンダがファームウェアのバージョンアップごとに直接メール等でする手間もかからず、ファームウェアを既にバージョンアップしたＤＤＮＳクライアント端末の利用者に対して通知するようなこともない。
【００３９】
なお、本発明の実施の形態１では、ＤＤＮＳクライアント端末のファームウェアをＦＴＰプロトコルによりダウンロードする例について示したが、Ｈｔｔｐプロトコルでダウンロードできるようなサーバを使用してもよいのは当然である。
【００４０】
また、バージョンアップの更新通知処理は、ＤＤＮＳ更新要求を受信する毎に行うのではなく、ファームウェアのバージョンアップ毎に１回のみ通知するように、クライアント情報データベース７に通知履歴情報エリアを設けてもよい。例えば「バージョン２通知済、バージョン３通知済」というようにＤＤＮＳクライアント端末に通知したバージョン情報を通知履歴情報としてクライアント情報として蓄積しておき、ＤＤＮＳ更新通知のバージョン番号情報９ｄがバージョン３であれば、既に通知した情報と判断し、更新通知処理はしないようにする。
【００４１】
さらに、通知履歴情報に通知した日付も合わせて蓄積するようにして、蓄積した日付に従って、例えば１週間間隔で更新通知処理を行うようにしてもよい。すなわち、「バージョン２：２００２／５／３１通知済、バージョン３：２００２／８／２３通知済」というようにクライアント情報として蓄積しておき、ＤＤＮＳ更新通知のバージョン番号情報９ｄがバージョン２であり、現在２００２／８／３０であれば更新通知処理を行い、また通知履歴情報「バージョン２：２００２／５／３１通知済、バージョン３：２００２／８／３０通知済」と更新する。これにより、ＤＤＮＳ更新要求の度にバージョン更新通知がされることはなく、ＤＤＮＳクライアント端末の利用者の煩わしさを回避できると共に、利用者のメールサーバの（利用者に割り当てられた）容量がパンクするような心配もなくなる。
【００４２】
また、ＤＤＮＳサーバ２に蓄積された情報、例えばメールアドレス、ファームウェアの種類、バージョン情報をファームウェアのベンダに送信するユーザ情報通知処理部（図示しない）をＤＤＮＳサーバ２に設けるようにすれば、各ベンダはユーザのバージョン情報を把握できると共にメールアドレスにバージョンアップ情報を送ることも可能となる。
【００４３】
なお、ＤＤＮＳクライアント端末の利用者は、選択によりＤＤＮＳ更新通知にファームウェアやバージョン情報を送信しないようにしたり、ＤＤＮＳサーバ２が更新通知処理を停止するようにＤＤＮＳ更新通知に更新通知処理停止要求を含ませるようにしてもよい。
【００４４】
【発明の効果】
本発明のＤＤＮＳクライアント端末によれば、ＤＤＮＳ更新要求を行うときにバージョン番号と機種情報を同時に通知するため、ユーザ側からバージョン情報にアクセスする必要がなく、容易に最新バージョンを送信することができる。
【００４５】
本発明のＤＤＮＳサーバによれば、クライアント情報データベースにバージョン情報と機種情報が加えられ、且つ最新バージョンのデータを格納したファームウェア管理テーブルが設けられているため、容易に最新バージョンを通知することができる。
【００４６】
本発明のＤＤＮＳバージョン管理システムとファームウェアバージョンの更新方法によれば、ＤＤＮＳ更新要求でバージョン番号と機種情報とを通知するため、ユーザ側からファームウェアのバージョン情報にアクセスする必要がなく、供給者側から直接通知する必要もなく、容易に最新バージョンを通知することができる。
【図面の簡単な説明】
【図１】本発明の実施の形態１におけるＤＤＮＳバージョン管理システムの構成図
【図２】本発明の実施の形態１におけるＤＤＮＳクライアント端末の構成図
【図３】本発明の実施の形態１におけるＤＤＮＳサーバ構成図
【図４】本発明の実施の形態１におけるＤＤＮＳバージョン管理システムの処理のシーケンス図
【図５】本発明の実施の形態１におけるＤＤＮＳサーバの処理のフローチャート
【図６】ＤＤＮＳ更新要求のＨＴＴＰパケットの構成図
【符号の説明】
１　インターネット
２　ＤＤＮＳサーバ
３　ＤＤＮＳクライアント端末
３ａ　ＤＤＮＳクライアント部
４　ネットワーク端末
５　ＤＨＣＰサーバ
６ａ　メールアドレス管理部
６ｂ　ＩＰアドレス管理部
６ｃ　バージョン番号管理部
７　クライアント情報データベース
７ａ　グローバルＩＰアドレス
７ｂ　メールアドレス
７ｃ　バージョン番号情報
７ｄ　機種情報
８　ファームウェア管理テーブル
８ａ，８ｂ　最新バージョンのファームウェア
９ａ　ＨＴＴＰヘッダ
９ｂ　グローバルＩＰアドレス
９ｃ　メールアドレス
９ｄ　バージョン番号情報
９ｅ　機種情報
９ｆ　クライアントＩＤ
【図１】
2004126856.tif 000003
【図２】
2004126856.tif 000004
【図３】
2004126856.tif 000005
【図４】
2004126856.tif 000006
【図５】
2004126856.tif 000007
【図６】
2004126856.tif 000008